(57)【要約】      （修正有）【課題】セプタムにより上端面が封止された液体収容容器からプローブによって液を採取する際に、プローブ外面に付着した水がその液体収容容器内へ侵入することを抑制する。【解決手段】液体収容容器２は、上端面４ｂに開口を有し、内部に液体を収容する空間４ａを有する容器本体４と、容器本体の上端面の開口を封止し、容器本体の内部に挿入されるプローブ１２７により貫通可能な弾性材料からなるセプタム６と、セプタムの直上に設けられ、セプタム上面の水分を吸収する吸水性の吸水部材８と、を備えている。【選択図】図３
2020038217.tif 000002
【特許請求の範囲】
【請求項１】
上端面に開口を有し、内部に液体を収容する空間を有する容器本体と、
前記容器本体の上端面の前記開口を封止し、前記容器本体の内部に挿入されるプローブにより貫通可能な弾性材料からなるセプタムと、
前記セプタムの直上に設けられ、前記セプタム上面の水分を吸収する吸水性の吸水部材と、を備えた液体収容容器。
【請求項２】
前記吸水部材は前記セプタムの前記プローブが貫通する部分の周囲を取り囲むように設けられている請求項１に記載の液体収容容器。
【請求項３】
前記吸水部材は、前記容器本体の内部に挿入されるプローブを通過させるための貫通孔を中央部に有するか又は前記プローブによって貫通可能な程度の厚みを有する請求項１又は２に記載の液体収容容器。
【請求項４】
前記吸水部材は、ろ紙、綿、ガーゼ、吸水性高分子体のいずれかにより構成されている請求項１から３のいずれか一項に記載の液体収容容器。
【請求項５】
前記容器本体の上端部に装着され、前記セプタム及び吸水部材を保持するキャップをさらに備えている請求項１から４のいずれか一項に記載の液体収容容器。
【請求項６】
前記セプタムと前記吸水部材は前記容器本体の上端部の外径と略同一の外径を有する請求項５に記載の液体収容容器。
【請求項７】
前記キャップは、前記容器本体の内部に挿入されるプローブを通過させるための開口を有し、その開口の周囲部が前記吸水部材の上面周縁部と係合するように構成されている請求項５又は６に記載の液体収容容器。
【請求項８】
請求項１から７のいずれか一項に記載された液体収容容器であって、試料の前処理に必要な液体を内部に収容した液体収容容器が設置される液体収容容器設置部と、
先端から液の吸入と吐出を行なうためのプローブと、
前記プローブを用いて前記液体収容容器設置部に設置された前記液体収容容器から前処理に必要な液体を採取するように前記プローブを駆動するプローブ駆動機構と、
前記プローブにより前処理に必要な液体が添加された試料の前処理を実行するための前処理部と、を備えた前処理装置。
【発明の詳細な説明】
【技術分野】
【０００１】
本発明は、例えば全血、血清、血漿、ろ紙血、尿などの生体由来試料に含まれる成分のうち、分析に不要な特定成分を除去して必要成分を試料として抽出する抽出処理などの前処理を自動的に行なう前処理装置において、試料に添加する試薬を収容しておくための液体収容容器と、その液体収容容器を用いる前処理装置に関するものである。
【背景技術】
【０００２】
生体試料などの試料の定量分析などを実行する際、その生体試料から分析に不要な特定成分を除去して必要成分を試料として抽出する処理や、抽出された試料の濃縮や乾固をする乾固処理を行なう必要がある場合がある。かかる前処理を自動的に実行する前処理装置として、従来から種々のものが提案され、実施されている（例えば、特許文献１参照。）。
【０００３】
前処理装置では、一般に、試薬や内部標準液を収容する容器からプローブを用いて目的の液を採取し、その液を試料に添加するという動作を行なう。試薬や内部標準液を収容した容器は装置内の所定の位置に配置され、中に収容されている試薬や内部標準液が蒸発して濃縮されることを防止するために、その容器の上面がセプタムによって封止されている。セプタムの材質は弾力性を有する弾性材料であるため、容器内の液を採取する際はプローブがセプタムを貫通して、プローブの先端を容器内に挿入して内部の液を吸入する。
【先行技術文献】
【特許文献】
【０００４】
【特許文献１】特開２０１０−６０４７４号公報
【発明の開示】
【発明が解決しようとする課題】
【０００５】
上記のような前処理装置では、液の分注を行なった後のプローブは内面や外面の洗浄が行われ、洗浄後のプローブの外面には水滴が付着している。外面に水滴の付着したプローブが試薬や内部標準液を採取するために容器上面のセプタムを貫通する際、プローブ外面に付着した水がセプタムによって拭われてセプタムの上面に溜まってしまうことがあった。プローブの分注回数（プローブがセプタムを貫通する回数）が数十回〜数百回にもなると、セプタムの上面に溜まる水は数μＬ〜数十μＬにもなる。
【０００６】
セプタムの上面に水が溜まると、プローブがセプタムを貫通する際にセプタムとプローブとの間に生じた僅かな隙間から水が容器内へ侵入し、容器内の試薬や内部標準液の希釈や劣化を引き起こし、分析データの再現性や分析精度の低下の原因となる。プローブが貫通しやすいようにセプタムに切込みが入っている場合があるが、そのような場合にはセプタム上面に溜まった水が容器内へさらに侵入しやすくなる。
【０００７】
そこで、本発明は、セプタムにより上端面が封止された液体収容容器からプローブによって液を採取する際に、プローブ外面に付着した水がその液体収容容器内へ侵入することを抑制することを目的とするものである。
【課題を解決するための手段】
【０００８】
本発明にかかる液体収容容器は、上端面に開口を有し、内部に液体を収容する空間を有する容器本体と、前記容器本体の上端面の前記開口を封止し、前記容器本体の内部に挿入されるプローブにより貫通可能な弾性材料からなるセプタムと、前記セプタムの直上に設けられ、前記セプタム上面の水分を吸収する吸水性の吸水部材と、を備えている。
【０００９】
吸水部材は、セプタムのプローブが貫通する部分の周囲を囲うように設けられることが好ましい。そうすれば、プローブがセプタムを貫通する際にセプタムによって拭われてセプタム上に溜まった水をその周囲の吸水部材によって効率的に吸収することができる。
【００１０】
上記の場合の具体的に吸水部材の構造として、前記容器本体の内部に挿入されるプローブを通過させるための貫通孔を中央部に有するか又は前記プローブによって貫通可能な程度の厚みを有する構造が挙げられる。
【００１１】
前記吸水部材の材質としては、ろ紙、綿、ガーゼ、吸水性高分子体のいずれかが挙げられる。「吸水性高分子体」は、例えばシート状のものを用いることができる。
【００１２】
本発明の液体収容容器の好ましい実施形態では、前記容器本体の上端部に装着され、前記セプタム及び吸水部材を保持するキャップをさらに備えている。これにより、容器本体の上面にセプタム及び吸水部材を安定的に保持することができる。
【００１３】
上記実施形態では、前記セプタムと前記吸水部材は前記容器本体の上端部の外径と略同一の外径を有することがさらに好ましい。容器本体の上端部に装着されるキャップの内径は容器本体の上端部の外径と略同一であるから、セプタムと吸水部材の外径を容器本体の上端部の外径と略同一にすれば、セプタムと吸水部材の外径もキャップの内径と略同一になる。したがって、セプタムと吸水部材がキャップの内側に嵌め込まれる形になり、キャップの内周面によってセプタムと吸水部材の位置決めがなされ、セプタムと吸水部材の位置ずれが防止される。
【００１４】
ここで、セプタムと吸水部材の外径が容器本体の上端部の外径と略同一であるとは、セプタムと吸水部材の外径が容器本体の上端部の外径と完全に同一である場合のほか、セプタムと吸水部材の外径が容器本体の上端部の外径よりも僅かに小さい場合も含む。セプタムと吸水部材の外径が容器本体の上端部の外径よりも僅かに小さいとは、セプタムと吸水部材の外径が、容器本体の上端面の範囲内で移動しても、容器本体の開口の封止やプローブの通過に影響を与えない程度に容器本体の上端部の外径よりも小さいことを意味する。
【００１５】
前記キャップの好ましい形態としては、前記容器本体の内部に挿入されるプローブを通過させるための開口を有し、その開口の周囲部が前記吸水部材の上面周縁部と係合するように構成されている例が挙げられる。
【００１６】
本発明に係る前処理装置は、上述の液体収容容器であって、試料の前処理に必要な液体を内部に収容した液体収容容器が設置される液体収容容器設置部と、先端から液の吸入と吐出を行なうためのプローブと、そのプローブを用いて前記液体収容容器設置部に設置された前記液体収容容器から前処理に必要な液体を採取するように前記プローブを駆動するプローブ駆動機構と、前記プローブにより前処理に必要な液体が添加された試料の前処理を実行するための前処理部と、を備えている。
【発明の効果】
【００１７】
本発明の液体収容容器では、セプタムの直上にセプタム上面の水分を吸収する吸水性の吸水部材を備えているので、洗浄水が外面に付着したプローブがセプタムを貫通することによってセプタムの上面に溜まる水分を吸水部材によって吸収することができる。これにより、セプタムの上面に水が溜まった状態になることが抑制され、プローブがセプタムを貫通する際に生じる隙間から容器本体の内部に水が浸入することを防止することができる。
【００１８】
本発明の前処理装置では、試料の前処理に必要な液体を収容する容器として上記の液体収容容器が採用されているので、液体収容容器の上面を封止するセプタムの上面に水が溜まりにくく、セプタム上の水が液体収容容器の内部に侵入して試料の前処理に必要な液体の希釈や劣化されるといった問題が起こりにくい。これにより、分析データの再現性や精度の低下を抑制することができる。
【図面の簡単な説明】
【００１９】
【図１】液体収容容器の一実施例を示す断面図である。
【図２】液体収容容器にプローブが挿入される前の状態の一例を示す断面図である。
【図３】液体収容容器にプローブが挿入された状態の一例を示す断面図である。
【図４】前処理装置の一実施例を示す平面図である。
【発明を実施するための形態】
【００２０】
以下、本発明に係る液体収容容器とその液体収容容器を用いる前処理装置の一実施例について、図面を用いて説明する。
【００２１】
まず、液体収容容器の一実施例の構造について図１を用いて説明する。
【００２２】
この実施例の液体収容容器２は、容器本体４、セプタム６、吸水部材８及びキャップ１０からなる。容器本体４は上端面に開口を有し、内部に液を収容する空間４ａを有する。キャップ１０は、容器本体４の上端面にセプタム６及び吸水部材８を置いた状態で、容器本体４の上端部４ｂの上方から被せられるようにして容器本体４の上端部４ｂに取り付けられている。すなわち、セプタム６と吸水部材８はキャップ１０によって容器本体４の上端面上に保持されている。
【００２３】
容器本体４の上端部４ｂの外周面とキャップ１０の内周面には互いに螺合するネジが設けられており、上端部４ｂをキャップ１０の下面の窪みに嵌め込んで容器本体４とキャップ１０とを相対的に回転させることで、キャップ１０が容器本体４の上端部４ｂに取り付けられる。
【００２４】
なお、容器本体４の上端部４ｂへのキャップ１０の取付け構造はネジの螺合によるものに限られず、上端部４ｂに設けられた突起や溝などの構造とキャップ１０の一部とを係合させることによってキャップ１０を上端部４ｂに固定するものであってもよい。
【００２５】
容器本体４の上端面の開口はセプタム６によって封止されている。セプタム６は、後述するプローブ１２７（図２から図４を参照）で貫通可能な、例えばシリコーンゴムなど弾力性を有する弾性材料によって構成されている。セプタム６の弾力性により、プローブ１２７が貫通することによって形成される穴がプローブ１２７を引き抜かれた後で塞がれ、容器本体４の内部空間４ａの密閉が維持される。
【００２６】
セプタム６の直上に、例えば、ろ紙、綿、ガーゼ、吸水性高分子体（例えば、シート状のもの）などからなる吸水性の吸水部材８が設けられている。この実施例では、吸水部材８の中央部にプローブ１２７を通過させるための貫通孔８ａが設けられている。ただし、必ずしも貫通孔８ａが設けられている必要はなく、吸水部材８がプローブ１２７によって貫通可能な厚みを有するものであってもよい。
【００２７】
セプタム６と吸水部材８の外径は、容器本体４の上端部４ｂの外径と略同一である。容器本体４の上端部４ｂの外径とキャップ１０の内径とが略同一であることから、セプタム６と吸水部材８の外径もキャップ１０の内径と略同一である。これにより、セプタム６と吸水部材８はキャップ１０によって位置決めがなされている。
【００２８】
キャップ１０にはプローブ１２７（図２から図４を参照）を通過させるための開口１０ａが設けられている。開口１０ａは、プローブ１２７の外径よりも大きく、かつセプタム６及び吸水部材８の外径よりも小さい内径を有する。これにより、キャップ１０の内側下面が吸水部材８の上面周縁部と係合し、セプタム６及び吸水部材８が容器本体４の上端面から脱落することを防止している。
【００２９】
吸水部材８は、図２に示されているように、洗浄された後のプローブ１２７が容器本体４の内部空間４ａ内へ挿入される際に、プローブ１２７の外面に付着した洗浄水の水滴が容器本体４の内部空間４ａ内へ侵入することを防止するために設けられている。
【００３０】
図３に示されているように、プローブ１２７がセプタム６を貫通して容器本体４の内部空間４ａへ侵入していく際に、プローブ１２７の外面に付着した水滴はセプタム６によって拭われ、セプタム６の上面に溜まることになる。セプタム６の上面に水滴が溜まった状態でプローブ１２７によるセプタム６の貫通が繰り返されると、プローブ１２７がセプタム６を貫通する際にプローブ１２７とセプタム６との間に生じる隙間から、セプタム６の上面に溜まった水が内部空間４ａ内へ侵入する虞がある。
【００３１】
この実施例では、セプタム６の直上に吸水部材８が設けられているため、セプタム６によって拭われたプローブ１２７の外面の水滴が吸水部材８によって吸収され、セプタム６上に大量の水が溜まることが抑制される。これにより、洗浄された後のプローブ１２７によるセプタム６の貫通回数が多くなっても洗浄水が容器本体４の内部空間４ａへ侵入しにくくなり、内部空間４ａに収容されている試薬や内部標準液の希釈や劣化といった問題の発生を抑制することができる。
【００３２】
次に、上記の液体収容容器２を用いる前処理装置の一実施例について図４を用いて説明する。
【００３３】
この実施例の前処理装置１００は、前処理容器１５０を試料ごとに１つずつ用いて必要な前処理項目を実行する。前処理装置１００には、各前処理項目を実行するための複数の処理ポートが設けられており、試料を収容した前処理容器をいずれかの処理ポートに設置することで、その前処理容器に収容された試料に対し各処理ポートに対応する前処理項目が実行されるようになっている。
【００３４】
前処理容器１５０は搬送アーム１２４によって搬送される。搬送アーム１２４は先端側に前処理容器１５０を保持するための保持部１２５を有し、保持部１２５が円弧状の軌道を描くようにその基端部を保持する鉛直軸１２９を回転中心として水平面内において回転する。前処理容器１５０の搬送先である各処理ポートやその他のポートは、すべて保持部１２５が描く円弧状の軌道に沿って設けられている。
【００３５】
試料を収容した試料容器１０６を設置するための試料設置部１０２が設けられ、その近傍に試料設置部１０２に設置された試料容器から試料を採取するサンプリングアーム１２０が設けられている。試料設置部１０２には複数の試料容器１０６を保持するサンプルラック１０４が円環状に設置される。
【００３６】
サンプリングアーム１２０は、基端部を鉛直軸１２２が貫通し、軸１２２を中心とする水平面内での回転動作及び軸１２２に沿った鉛直方向への上下動を行なう。サンプリングノズル１２０ａはサンプリングアーム１２０の先端側でその先端が鉛直下方向を向くように保持されており、サンプリングアーム１２０によって水平面内における円弧状の軌道を描く移動と鉛直方向への上下動を行なう。
【００３７】
サンプリングノズル１２０ａの軌道上で、かつ搬送アーム１２４の保持部１２５の軌道上の位置に分注ポート１３２が設けられている。分注ポート１３２は前処理容器１５０に対してサンプリングノズル１２０ａが試料を分注するためのポートである。
【００３８】
試料設置部１０２の内側に、図１から図３を用いて説明した液体収容容器２を試薬容器として設置するための試薬設置部１０８（液体収容容器設置部）が設けられている。試薬設置部１０８に設置された液体収容容器２から試薬を採取するための試薬アーム１２６（プローブ駆動機構）が設けられている。試薬アーム１２６は基端が搬送アーム１２４と共通の鉛直軸１２９によって支持されており、水平面内において回転するとともに上下動を行なうようになっている。試薬アーム１２６の先端部にプローブ１２７が設けられている。プローブ１２７は、その先端が鉛直下方向を向いた状態で設けられており、搬送アーム１２４の保持部１２５と同一の円弧状の軌道を描く水平面内の移動と上下動を行なう。
【００３９】
試薬設置部１０８は試料設置部１０２とは独立して水平面内で回転する。試薬設置部１０８には複数の液体収容容器２が円環状に配置され、試薬設置部１０８が回転することによって液体収容容器２がその回転方向に搬送され、所望の液体収容容器２が所定の試薬採取位置に配置されるようになっている。試薬採取位置とは、試薬アーム１２６のプローブ１２７の軌道に沿った位置であって、プローブ１２７により試薬の採取を行なうための位置である。プローブ１２７は所定の試薬を吸入した後、分注ポート１３２に設置された前処理容器１５０に対して吸入した試薬を分注することで、試料への試薬の添加を行なう。
【００４０】
試料設置部１０２や試薬設置部１０８とは異なる位置に、前処理容器設置部１１２が設けられている。前処理容器設置部１１２は、未使用の前処理容器１５０を円環状に設置するようになっている。前処理容器設置部１１２は水平面内において回転して前処理容器１５０を円周方向に移動させ、任意の前処理容器を搬送アーム１２４の保持部１２５の軌道に沿った位置に配置する。搬送アーム１２４は、保持部１２５の軌道に沿った位置に配置された未使用の前処理容器１５０を保持することができる。
【００４１】
前処理容器１５０を収容して特定の前処理項目を実行するための前処理部のポートとして、濾過ポート１３０、撹拌ポート１３６ａ、温調ポート１３８及び１４０が設けられている。
【００４２】
濾過ポート１３０は、濾過ポート１３０に設置された前処理容器１５０に対して負圧を付加するように構成されている。濾過ポート１３０は前処理として試料の濾過を行なう前処理部を構成する。撹拌部１３６も前処理部をなすものである。撹拌部１３６は、各撹拌ポート１３６ａを個別に水平面内で周期的に動作させる機構を有し、各撹拌ポート１３６ａに配置された前処理容器１５０内の試料溶液を撹拌するものである。
【００４３】
この前処理装置１００は前処理のなされた試料をこの前処理装置１００に隣接配置された試料注入装置（例えば、オートサンプラなど）側へ転送するための試料転送装置１４２を、筐体側縁部に備えている。試料転送装置１４２はラックピニオン機構を有する駆動機構により水平面内で一方向（図４の矢印の方向）へ移動する移動部１４４を備えている。移動部１４４の上面に、抽出試料を収容する前処理容器１５０を設置するための転送ポート１４３が設けられている。
【００４４】
分注ポート１３２の近傍で搬送アーム１２４の保持部１２５の軌道に沿う位置に、使用済みの前処理容器１５０を廃棄するための廃棄ポート１３４を備えている。また、サンプリングノズル１２０ａの軌道に沿う位置に、サンプリングノズル１２０ａの洗浄を行なうための洗浄ポート１４５を備えている。図示は省略されているが、プローブ１２７の軌道に沿う位置に、プローブ１２７の外面及び内面の洗浄を行なうための洗浄ポートが設けられている。
【符号の説明】
【００４５】
２      液体収容容器
４      容器本体
４ａ      容器本体の内部空間
４ｂ      容器本体の上端部
６      セプタム
８      吸水部材
８ａ      貫通孔
１０      キャップ
１０ａ      キャップの開口
１００      前処理装置
１０８      試薬設置部（液体収容容器設置部）
１２６      試薬アーム（プローブ駆動機構）
１２７      プローブ
１３０      濾過ポート（前処理部）
１３６ａ      撹拌ポート（前処理部）
【図１】
2020038217.tif 000003
【図２】
2020038217.tif 000004
【図３】
2020038217.tif 000005
【図４】
2020038217.tif 000006